(57)【要約】【課題】ナイロン用毛等を束ねて構成される毛束をフィンガー歯ブラシの先端部に設けることを可能とする歯ブラシ用基台、及び、この歯ブラシ用基台を備える歯ブラシを提供する。【解決手段】複数本用毛を束ねて形成される毛束が複数植設される歯ブラシ用基台であって、前記各毛束の一方端が植設される毛束設置用孔を有する筒状の収納部材を複数備えており、前記各収納部材間を連結する可撓性の連結部材を更に備えることにより全体として可撓性を有することを特徴とする歯ブラシ用基台。【選択図】図１
2020022566.tif 000002
【特許請求の範囲】
【請求項１】
複数本の用毛を束ねて形成される毛束が複数植設される歯ブラシ用基台であって、
前記各毛束の一方端が植設される毛束設置用孔を有する筒状の収納部材を複数備えており、
前記各収納部材間を連結する可撓性の連結部材を更に備えることにより全体として可撓性を有することを特徴とする歯ブラシ用基台。
【請求項２】
前記各収納部材は、一方向及び該一方向とは異なる他方向に規則的な配列を構成するように配置されていることを特徴とする請求項１に記載の歯ブラシ用基台。
【請求項３】
前記連結部材は、その一方端が一の収納部材の側壁に接続しており、他方端が前記一の収納部材に隣接配置される他の収納部材の側壁に接続していることを特徴とする請求項１又は２に記載の歯ブラシ用基台。
【請求項４】
前記連結部材及び前記収納部材で囲まれる領域には空隙部が形成されており、
前記空隙部には、エラストマー材料から形成される樹脂充填部が設けられていることを特徴とする請求項１から３のいずれかに記載の歯ブラシ用基台。
【請求項５】
前記各収納部材及び前記各連結部材は、合成樹脂材料から形成されていることを特徴とする請求項１から４のいずれかに記載の歯ブラシ用基台。
【請求項６】
請求項１から５のいずれかに記載の歯ブラシ用基台と、
前記各毛束設置用孔に植設される毛束と、
前記歯ブラシ用基台が先端部に設けられる操作部材とを備えることを特徴とする歯ブラシ。
【請求項７】
前記操作部材は、先端が閉塞し、基端が開口する筒状形態を有しており、前記基端側から先端側に向けて手指を挿入して該手指に装着可能な軟質樹脂から形成されており、
前記歯ブラシ用基台は、筒状の前記操作部材の周方向における一方側領域に配置されていることを特徴とする請求項６に記載の歯ブラシ。
【発明の詳細な説明】
【技術分野】
【０００１】
本発明は、歯ブラシ用基台及び歯ブラシ用基台を備えた歯ブラシに関する。
【背景技術】
【０００２】
健康な歯の維持が、健康や美容等にとって重要であり、とくに歯間の食物カスや歯垢の除去を日々の歯磨きにおいて励行することが望ましい。しかしながら、歯磨きの技量が低い幼児や、介護を必要とする老人が、磨き残しが無いように丁寧に歯磨きを行うことは難しく、例えば、母親や介護施設職員が、本人の代わりに歯磨きを行う場合が多々ある。
【０００３】
歯ブラシは、通常、硬質な材料から構成される長尺の柄の先端に毛束が設けられる構造を有しているが、母親等の第三者が、このような歯ブラシを用いて幼児等の歯磨きを行う場合、長尺の柄の存在により、歯ブラシを上手く操作することができず、幼児等の喉の奥を歯ブラシ先端で突いてしまったり、多くの磨き残しが生じてしまうという問題があった。
【０００４】
そこで、特許文献１に開示されているようなフィンガー歯ブラシが注目されている。このフィンガー歯ブラシは、手指に装着して使用されるタイプの歯ブラシであり、図７に示すように、筒部１００の一端側の開口部１０１から他端側の閉塞部１０２に向けて手指を挿入して該手指に装着可能な軟質樹脂からなる袋状の本体部１０３と、該本体部１０３の筒部１００の周方向における一方側領域に配されたブラシ部１０４とを備えるように構成されている。
【０００５】
このようなフィンガー歯ブラシによれば、母親が幼児の歯磨きを行う場合や介護施設職員が介護される老人の歯磨きを行う場合等に、手指の感覚を頼りに歯磨きの力加減を調節することができ、また、歯の隅々まで磨くことができるという効果が期待されるものである。
【先行技術文献】
【特許文献】
【０００６】
【特許文献１】特開2016-128056号公報
【発明の概要】
【発明が解決しようとする課題】
【０００７】
しかしながら、従来のフィンガー歯ブラシは、ブラシ部を構成する各突起が、軟質樹脂からなる袋状の本体部と同質の軟質樹脂から形成されるものであり、歯と歯との間に挟まっている食べ残しカスや、いわゆる歯周ポケットの奥の汚れを歯周病プラークごとかき出すことができず、実質的には、歯の表面に付着する汚れをぬぐって除去できる程度のブラッシング効果と、歯茎のマッサージ効果を発揮する程度のものであり、十分な歯磨き効果を得られるものではないという問題があった。
【０００８】
また、十分な歯磨き効果を得るために、従来から一般的に知られている、硬質な材料から構成される長尺の柄の先端に設けられる毛束と同様な毛束（例えば、ナイロン用毛を束ねて構成される毛束）をフィンガー歯ブラシの先端部に設けることが考えられるが、該毛束が植設される袋状の本体部は、軟質樹脂から形成されるものであることから、継続使用に耐える状態で袋状の本体部に毛束を植設することが難しく、毛束を備えるフィンガー歯ブラシを製作することは極めて困難であるという問題があった。
【０００９】
本発明は、このような問題を解決するためになされたものであって、ナイロン用毛等を束ねて構成される毛束をフィンガー歯ブラシの先端部に設けることを可能とする歯ブラシ用基台、及び、この歯ブラシ用基台を備える歯ブラシを提供することを目的とする。
【課題を解決するための手段】
【００１０】
本発明の上記目的は、複数本用毛を束ねて形成される毛束が複数植設される歯ブラシ用基台であって、前記各毛束の一方端が植設される毛束設置用孔を有する筒状の収納部材を複数備えており、前記各収納部材間を連結する可撓性の連結部材を更に備えることにより全体として可撓性を有することを特徴とする歯ブラシ用基台により達成される。
【００１１】
また、上記歯ブラシ用基台において、前記各収納部材は、一方向及び該一方向とは異なる他方向に規則的な配列を構成するように配置されていることが好ましい。
【００１２】
また、前記連結部材は棒状に形成されており、その一方端が一の収納部材の側壁に接続しており、他方端が前記一の収納部材に隣接配置される他の収納部材の側壁に接続していることが好ましい。
【００１３】
また、前記連結部材及び前記収納部材で囲まれる領域には空隙部が形成されており、前記空隙部には、エラストマー材料から形成される樹脂充填部が設けられるように構成してもよい。
【００１４】
また、前記各収納部材及び前記各連結部材は、合成樹脂材料から形成することができる。
【００１５】
また、本発明の上記目的は、上述の歯ブラシ用基台と、前記各毛束設置用孔に植設される毛束と、前記歯ブラシ用基台が先端部に設けられる操作部材とを備えることを特徴とする歯ブラシにより達成される。
【００１６】
この歯ブラシにおいては、前記操作部材は、先端が閉塞し、基端が開口する筒状形態を有しており、前記基端側から先端側に向けて手指を挿入して該手指に装着可能な軟質樹脂から形成されており、前記歯ブラシ用基台は、筒状の前記操作部材の周方向における一方側領域に配置されていることが好ましい。
【発明の効果】
【００１７】
本発明によれば、ナイロン用毛等を束ねて構成される毛束をフィンガー歯ブラシの先端部に設けることを可能とする歯ブラシ用基台、及び、この歯ブラシ用基台を備える歯ブラシを提供することができる。
【図面の簡単な説明】
【００１８】
【図１】本発明に係る歯ブラシ用基台の概略構成平面図である。
【図２】図１における矢視Ａ方向から見た概略構成側面図である。
【図３】図１におけるＢ−Ｂ断面に相当する概略構成断面図である。
【図４】図１におけるＣ−Ｃ断面に相当する概略構成断面図である。
【図５】本発明に係る歯ブラシの概略構成断面図である。
【図６】本発明に係る歯ブラシ用基台の変形例を説明するための概略構成断面図である。
【図７】従来のフィンガー歯ブラシタイプの歯ブラシを示す斜視図である。
【発明を実施するための形態】
【００１９】
以下、本発明に係る歯ブラシ用基台１及び当該歯ブラシ用基台１を備える歯ブラシ１０について、添付図面を参照して説明する。なお、各図は、構成の理解を容易ならしめるために部分的に拡大・縮小している。まず、歯ブラシ用基台１について説明する。図１は、本発明に係る歯ブラシ用基台１の概略構成平面図であり、図２は、図１の矢視Ａ方向から見た概略構成側面図である。また、図３は、図１のＢ−Ｂ断面に相当する概略構成断面図であり、図４は、図１のＣ−Ｃ断面に相当する概略構成断面図を示している。なお、図４においては、後述の収納部材２を省略して記載している。
【００２０】
本発明にかかる歯ブラシ用基台１は、複数本の用毛を束ねて形成される毛束９０が複数植設される台座であって、図１〜図４に示すように、複数の収納部材２と、各収納部材２を互いに連結する連結部材３とを備えて構成されている。
【００２１】
各収納部材２は、複数本の用毛を束ねて形成される各毛束９０の一方端が植設される毛束設置用孔２１を有する有底の筒状形態を有しており、一方向及び該一方向とは異なる他方向に規則的な配列を構成するように所定間隔をあけて配置されている。図１に示す構成においては、５つの収納部材２が横方向（一の方向）に配列されて構成される収納部材群が、該横方向に対して垂直な方向である縦方向（一の方向とは異なる他方向）に３段並ぶようにして、各収納部材２が配置されて構成されている。
【００２２】
各収納部材２は、外径Ｄ１が、２．５ｍｍ〜３．５ｍｍ程度、高さＨ１が、２．５ｍｍ〜３．５ｍｍ程度の大きさとして構成されることが好ましい。また、各収納部材２に形成される毛束設置用孔２１は、その内径Ｄ２が１ｍｍ〜２ｍｍ程度、深さＨ２が、１．５ｍｍ〜２．５ｍｍ程度として構成されることが好ましい。
【００２３】
また、各収納部材２を構成する材料としては、合成樹脂材料を好ましく用いることができる。例えば、例えば、ポリプロピレン樹脂（ＰＰ）、ポリエチレンテレフタレート樹脂（ＰＥＴ）、ポリスチレン樹脂（ＰＳ）、ポリブチレンテレフタレート樹脂（ＰＢＴ）、ポリアセタール樹脂（ＰＯＭ）、アクリロニトリルブタジエンスチレン樹脂（ＡＢＳ）、ポレアリレート樹脂、ポリカーボネート樹脂、アクリロニトリルスチレン樹脂（ＡＳ）などが挙げられる。これらの樹脂は１種を単独で使用してもよいし、２種以上を併用してもよい。なお、ステンレス等の金属材料から各収納部材２を形成することもできる。
【００２４】
各収納部材２を互いに連結する連結部材３は、一方向及び該一方向とは異なる他方向に規則的に配列された各収納部材２を一体化させて、全体として一つの構造体として構成するための部材であり、可撓性を有するように構成されている。各連結部材３は、その一方端が一の収納部材２の側壁に接続しており、他方端が該一の収納部材２に隣接配置される他の収納部材２の側壁に接続している。本実施形態においては、図１に示すように、横方向及び縦方向に並ぶ収納部材２同士の間に各連結部材３を配置して、連結部材３及び収納部材２によって格子状の構造体が形作られるように構成している。
【００２５】
各連結部材３は、長さＬ（隣接配置される各収納部材２間の距離に相当）が、０．５ｍｍ〜１ｍｍ程度、幅Ｗが、０．５ｍｍ〜１ｍｍ程度、厚みｔが０．２ｍｍ〜０．５ｍｍ程度の大きさとして構成されることが好ましい。各連結部材３の形態としては、プレート状や棒状等に形成されることが好ましい。なお、連結部材３を棒状に形成する場合、その断面形状は、円形、四角形等種々の形態として構成することができる。
【００２６】
連結部材３を構成する材料としては、上述の収納部材２と同様に、合成樹脂材料を好ましく用いることができる。例えば、例えば、ポリプロピレン（ＰＰ）、ポリエチレンテレフタレート（ＰＥＴ）、ポリスチレン（ＰＳ）、ポリブチレンテレフタレート（ＰＢＴ）、ポリアセタール（ＰＯＭ）、アクリロニトリルブタジエンスチレン（ＡＢＳ）、ポレアリレート、ポリカーボネート、アクリロニトリルスチレン（ＡＳ）などが挙げられる。これらの樹脂は１種を単独で使用してもよいし、２種以上を併用してもよい。
【００２７】
連結部材３は、上述の合成樹脂材料から形成され、また、上記のような寸法として構成されるため、可撓性を有しつつも、簡単に切断等されないものとなる。また、このような可撓性を有する連結部材３で各収納部材２間が一体的に連結される構造体（歯ブラシ用基台１）は、連結部分にて撓み変形が可能となり、全体として可撓性を有することになる。
【００２８】
また、歯ブラシ用基台１は、複数の収納部材２と複数の連結部材３とが一体形成されることが好ましい。例えば、上述の樹脂を材料とした射出成形により製作されることが好ましい。
【００２９】
また、連結部材３及び収納部材２で囲まれる領域には空隙部４が形成されるが、当該空隙部４には、図１のＣ−Ｃ断面に相当する概略構成断面図に示すように、この空隙部４を閉塞させる樹脂充填部５が設けられている。樹脂充填部５は、上述の収容部材や連結部材３とは異なる材料から形成することが好ましく、軟質の材料であるエラストマー材料を好適に例示することができる。エラストマー材料としては、例えば、シリコーンゴムやエチレンプロピレンゴム（ＥＰＤＭ）、イソプレンゴム、フッ素ゴム、スチレン・ブタジエンゴム、アクリロニトリル・ブタジエンゴム、ブチレンゴム、ウレタンゴムから選ばれるゴム材質が好ましく用いることができ、シリコーンゴム及びエチレンプロピレンゴムから選ばれるゴム材質をより好ましく用いることができる。連結部材３及び収納部材２で囲まれる空隙部４に充填される樹脂充填部５の厚みは、連結部材３の厚みと同程度となるように形成することが好ましい。
【００３０】
ここで、各収納部材２が有する毛束設置用孔２１には、端が揃えられた毛束９０が、図３の概略構成断面図に示すように、平線９１を介して、植毛される。植毛の具体的手法は、従来から知られている方法を採用することができる。例えば、毛束９０の長さ方向の中心位置において、該毛束９０を２つ折りにして、折り曲げられた屈曲部に平線９１を入れ、該平線９１を毛束９０と共に毛束設置用孔２１に強い力で差し込んで固定（植毛）してもよく、或いは、毛束９０（用毛）の一方端（植設される側の端部）をカール状に形成し、当該カール部分に平線９１を入れ、該平線９１を毛束９０と共に毛束設置用孔２１に強い力で差し込んで固定（植毛）してもよい。なお、平線９１とは、毛束９０と共に打ち込んで固定するための金属片であり、毛束設置用孔２１の内径よりわずかに長い棒状或いは略長方形の形態を有している。また、通常、真鍮やニッケルシルバー、ステンレススチール、白銅等から形成される。
【００３１】
また、毛束設置用孔２１に毛束９０を植毛する方法としては、上述の平線を用いて行う方法の他、毛束９０を熱溶着して固定する方法も採用することができる。
【００３２】
また、毛束設置用孔２１に植毛される毛束９０を構成する各用毛の材質は、例えば、６−１２ナイロン、６−１０ナイロン等のポリアミド；ＰＥＴ、ポリブチレンテレフタレート（ＰＢＴ）、ポリトリメチレンテレフタレート（ＰＴＴ）、ポリエチレンナフタレート（ＰＥＮ）、ポリブチレンナフタレート（ＰＢＮ）等のポリエステル；ポリプロピレン（ＰＰ）等のポリオレフィン等の合成樹脂材料を用いることができる。これらの樹脂材料は、複数組み合わせて用いてもよく、中でも、容易にコシを強くでき、歯垢の掻き取り性がより高くなる点では、複数のポリエステルの混合物が好ましく、２〜３種のポリエステルの混合物が好ましい。複数のポリエステルの混合物としては、例えば、好ましくは、ＰＥＴおよびポリブチレンテレフタレート（ＰＢＴ）の混合物が挙げられる。また、用毛は、芯部と該芯部の外側に設けられた少なくとも１層以上の鞘部とを有する多重芯構造を有するポリエステル製用毛も好ましい。多重芯構造を有すると、芯部と鞘部とで異なるポリエステルを用いることができるため、機械的物性の調整が容易になる。そのため、コシの強く、歯垢の掻き取り性がより高い用毛を容易に得ることができる。上記芯部と鞘部の用毛に用いることができる異なるポリエステルの組み合わせとしては、例えば、ポリブチレンテレフタレート（ＰＢＴ）およびＰＥＴが好ましい
【００３３】
用毛の毛丈は、収納部材２における毛束設置用孔２１の開口面から、子供用で３ｍｍ〜９ｍｍ、大人用で３ｍｍ〜１３ｍｍとすることが好ましい。用毛の長さは全て同一でもよいし、同一でなくてもよい。例えば、図１において縦方向に三段並ぶ各収納部材群の内、２段目に配置される収納部材群に植毛される毛束９０の長さを、１段目及び３段目に配置される収納部材群に植毛される毛束９０よりも長くなるように構成してもよい。また、用毛の太さ（最大径）は、コシが強くなって歯垢の掻き取り効果がより高くなることから、６ｍｉｌ〜１０ｍｉｌ（０．１５ｍｍ〜０．２６ｍｍ）以下の範囲が好ましい。
【００３４】
なお、全ての用毛が同種用毛である必要はない。例えば、図１において縦方向に三段並ぶ各収納部材群の内、２段目に配置される収納部材群に植毛される毛束９０と、１段目及び３段目に配置される収納部材群に植毛される毛束９０とを構成する用毛の種類が異なっていてもよい。
【００３５】
次に、毛束９０が植毛された歯ブラシ用基台１を備える本発明に係る歯ブラシ１０について説明する。この歯ブラシ１０は、図５の概略構成断面図に示すように、筒状形態を有する操作部材１１と、この操作部材１１の先端部に設けられる歯ブラシ用基台１とを備えている。
【００３６】
操作部材１１は、先端１１ａが閉塞し、基端１１ｂが開口する筒状の袋体として構成されており、基端１１ｂ側から先端１１ａ側に向けて手指（例えば、人差し指）を挿入して該手指に装着可能に構成されている。この操作部材１１は、軟質樹脂から形成されている。軟質樹脂の材質としては、例えば、例えば、シリコーンゴムやエチレンプロピレンゴム（ＥＰＤＭ）、イソプレンゴム、フッ素ゴム、スチレン・ブタジエンゴム、アクリロニトリル・ブタジエンゴム、ブチレンゴム、ウレタンゴムから選ばれるゴム材質が好ましく用いることができ、シリコーンゴム及びエチレンプロピレンゴムから選ばれるゴム材質をより好ましく用いることができる。また、筒状形態の操作部材１１の厚みは、例えば、０．５ｍｍ〜２．５ｍｍ程度に形成されることが好ましい。また、筒状形態の操作部材１１の長さ（先端から基端までの長さ）は、人差し指の長さ程度の寸法として形成することが好ましい。
【００３７】
この手指に装着可能な筒状形態の操作部材１１の先端部であって、周方向における一方側領域に、複数の毛束９０が植設された歯ブラシ用基台１が配置されている。筒状形態の操作部材１１の周方向における一方側領域としては、例えば、操作部材１１を手指に装着した際に、指先の腹側に対応する領域を選定することが好ましい。歯ブラシ用基台１を筒状の操作部材１１の所定位置に設置する方法としては、特に限定されるものではなく、接着剤を介して、歯ブラシ用基台１の下面側（毛束９０が植設される面の反対側の面側）を、筒状の操作部材１１の表面上に接着して一体化してもよく、或いは、歯ブラシ用基台１の下面側を筒状の操作部材１１の表面上に載置したのち加熱処理を行って、軟質樹脂から形成される操作部材１１を部分的に溶かすとして両者を溶着させて一体化させてもよい。
【００３８】
このように、本発明に係る歯ブラシ用基台１によれば、ナイロン用毛等を束ねて構成される毛束９０をフィンガー歯ブラシタイプの歯ブラシ１０の先端部に容易に設けることが可能となる。また、歯ブラシ用基台１は全体として可撓性を有ように形成されているため、操作部材１１の表面に歯ブラシ用基台１を配設する際に、歯ブラシ用基台１を、曲面形状を有する操作部材１１の表面に則した形状に変形させつつ設置させることが可能となり、いわゆるフィンガー歯ブラシタイプの歯ブラシ１０を見た目良くまた効率良く製造することが可能となる。また、歯ブラシ用基台１を、曲面形状を有する操作部材１１の表面に則した形態で配置できることにより、手指が挿入される筒状の操作部材１１の先端部分が筒状の形態を維持することができるため、手指をスムーズに脱着することが可能となる。
【００３９】
また、この歯ブラシ１０は、軟質材料から形成される操作部材１１とは異なるナイロン等の材料から形成される用毛を束ねた毛束９０を備えているため、歯の表面に付着する汚れや、歯と歯との間に挟まっている食べ残しカス、歯周ポケットの奥の汚れを歯周病プラークごとかき出すことが可能となり、十分な歯磨き効果を得ることができる。
【００４０】
また、本発明に係る歯ブラシ１０は、手指に装着して、該手指の感触を頼りに歯磨きを行うタイプであることから、歯磨き時の歯や歯茎に対する力加減を調整しやすく、歯磨きによる歯や歯茎にダメージを与えることを効果的に防止することができる。また、従来から一般的に知られている硬質な長尺な柄を有する歯ブラシ１０の場合には、硬質な柄の先端部分が口腔内の奥の歯茎や顎骨部分に当たってしまい、奥歯や奥歯の裏側を磨きにくいという問題があるが、指に装着される筒状の操作部材１１を有する歯ブラシ１０の場合には、操作部材１１自体が軟質な材料から形成されているため、届きにくい奥歯や磨きにくい歯の裏側に対しても細かく丁寧な歯磨きを行うことが可能となる。
【００４１】
また、当該歯ブラシ１０を使用して歯磨きを行う場合、使用者の指の動きに応じて毛束９０が植設されている歯ブラシ用基台１も変形することとなり、歯磨き時にやわらかい使用感を与えることができる。
【００４２】
また、本実施形態にかかる歯ブラシ用基台１においては、連結部材３及び収納部材２で囲まれる各空隙部４にエラストマー材料を充填して形成される樹脂充填部５を設けるように構成しているが、このような樹脂充填部５を備えることにより、歯ブラシ用基台１の可撓性を維持しながら、その強度を高めることが可能となる。また、歯磨き時に歯や歯茎から除去した汚れが空隙部４に残留するような事態が発生することも防止することができ、衛生面に優れた歯ブラシ１０を得ることができる。
【００４３】
以上、本発明の一実施形態に係る歯ブラシ用基台１及び該歯ブラシ用基台１を備える歯ブラシ１０について説明したが、歯ブラシ用基台１及び歯ブラシ１０の具体的構成は、上記実施形態に限定されない。上記実施形態においては、歯ブラシ用基台１が、１５個の収納部材２を３×５の格子状となるように配列しているが、収納部材２の個数については、１５個に限定されるものではなく、１５個未満、あるいは、１６個以上用いて歯ブラシ用基台１を形成してもよい。
【００４４】
また、上記実施形態においては、図１に示すように、横方向及びこの横方向に対して垂直な方向である縦方向に各収納部材２が並ぶようにして、歯ブラシ用基台１を構成しているが、このような配列方向に限定されるものではなく、例えば、横方向及びこの横方向に対して約４５度等の角度方向に各収納部材２が並ぶようにして、歯ブラシ用基台１を構成してもよい。
【００４５】
また、各収納部材２としては、図２に示すように、有底の筒状形態として構成しているが、底部を設けずに、両端が開口する筒状形態として構成してもよい。  また、各収納部材２は、その平面視において、外径形状が円形となるように構成されているが、このような形態に限定されず、例えば、平面視において、外径形状が矩形状や楕円形等、円形以外の形状を有するように構成してもよい。同様に、各収納部材２に形成される毛束設置用孔２１についても、平面視においてその内径形状が円形に限定されるものではなく、例えば、平面視矩形状となるような孔等、種々の孔形状として形成してもよい。
【００４６】
また、上述の歯ブラシ１０は、手指に装着できるように操作部材１１を筒状形態となるように構成しているが、このような形態に特に限定されるものではなく、従来からある硬質の長尺状の柄を有するタイプの歯ブラシ１０にも適用してもよい。また、操作部材１１を手袋型に形成し、当該手袋型の操作部材１１における任意の指の指先腹側に対応する箇所に歯ブラシ用基台１を設けるようにして歯ブラシ１０を構成してもよい。
【００４７】
また、上記実施形態にかかる歯ブラシ用基台１においては、連結部材３及び収納部材２で囲まれる空隙部４に、エラストマー材料を充填して形成される樹脂充填部５が設けられているが、この樹脂充填部５を設けないように歯ブラシ用基台１を構成してもよい。
【００４８】
また、上記実施形態にかかる歯ブラシ用基台１においては、連結部材３及び収納部材２で囲まれる空隙部４に、エラストマー材料を充填して形成される樹脂充填部５が設けられており、この樹脂充填部５の厚みとしては、連結部材３の厚みと同程度となるように構成されているが、このような厚みに限定されず、例えば図６の概略構成断面図に示すように、空隙部４を充填しつつ、各連結部材３を埋設させるような厚みとして樹脂充填部５を構成してもよい。なお、図６は、図１におけるＣ−Ｃ断面に相当する断面を示しており、収納部材２を省略して記載している。各連結部材３を埋設させた状態で樹脂充填部５を構成する場合、樹脂充填部３の上面が、収納部材３における上面（毛束設置用孔２１の開口面が形成される位置）と面一となるように構成することが好ましい。また、樹脂充填部３の下面が、収納部材３及び下面と面一となるように構成することが好ましい。このような態様で樹脂充填部３を構成することにより、歯ブラシ用基台１の可撓性を維持しながら、その強度をより一層高めることが可能になると共に、歯磨き時に歯や歯茎から除去した汚れが歯ブラシ用基台１に残留するような事態が発生することをより効果的に防止することができ、
【００４９】
また、上記実施形態においては、各収納部材２は、一方向及び該一方向とは異なる他方向に規則的に配列されているが、このような態様に限定されず、各収納部材２が不規則な態様で配置されてもよい。
【符号の説明】
【００５０】
１  歯ブラシ用基台
２  収納部材
２１  毛束設置用孔
３  連結部材
４  空隙部
５  樹脂充填部
１０  歯ブラシ
１１  操作部材
９０  毛束
９１  平線
【図１】
2020022566.tif 000003
【図２】
2020022566.tif 000004
【図３】
2020022566.tif 000005
【図４】
2020022566.tif 000006
【図５】
2020022566.tif 000007
【図６】
2020022566.tif 000008
【図７】
2020022566.tif 000009